(57)【特許請求の範囲】
【請求項１】
階段室において対向する左右の界壁等に側板をそれぞれ取り付けて固定し、段板の左右両端部を、左右の側板によって支持させることによって構成される階段であって、
側板と界壁の間であって、界壁を構成する柱と側板とが重なっている領域のみに、弾性材料からなる防振材を配置して、側板側から、界壁を構成する柱内へ打ち込んだビスによって側板を界壁に固定し、
側板の水平部と段板の端部との間に弾性材料からなる防振材を配置するとともに、段板の端面と界壁との間に隙間を形成した状態で、段板を側板の水平部の上に固定したことを特徴とする高遮音階段。
【請求項２】
蹴込み板の端面と界壁との間に隙間を形成した状態で、蹴込み板を側板の垂直部に取り付けたことを特徴とする、請求項１に記載の高遮音階段。
【請求項３】
廻り段部を有する階段であって、
廻り段部を構成する廻り段板の下面の先端側縁部に沿って、その下段側に配置した蹴込み板の上端縁を進入させ、嵌合させるための溝が形成され、
溝内に防振材が配置され、この防振材を介して、溝内に進入させた蹴込み板によって廻り段板が支持されるように構成したことを特徴とする、請求項２に記載の高遮音階段。
【請求項４】
下地材の上面に、弾力性を有する吸音マットを貼り付けてなる段板を用いることを特徴とする、請求項１〜３のいずれかに記載の高遮音階段。
【請求項５】
下地材の先端側に框材が取り付けられ、又は、下地材の先端側に框部が形成され、下地材の上面に貼り付けられた吸音マットの上面と、框材又は框部の上面の高さ位置の差が１ｍｍ以内となるように構成し、吸音マットと框材又は框部との境界付近において、吸音マットの厚さ寸法を小さくするとともに、荷重が作用しても沈み込みが生じない素材によって形成した段差調整材を配置した段板を使用することを特徴とする、請求項４に記載の高遮音階段。
【請求項６】
化粧板の裏側に弾力性を有する弾性マット材を配置したものを、下地材の上面に貼り付けてなる段板を用いることを特徴とする、請求項１〜３のいずれかに記載の高遮音階段。
【請求項７】
下地材の先端側に框材が取り付けられ、又は、下地材の先端側に框部が形成され、下地材の上面に貼り付けられた化粧板の上面と、框材又は框部の上面の高さ位置の差が１ｍｍ以内となるように構成し、化粧板と框材又は框部との境界付近において、荷重が作用しても沈み込みが生じない素材によって形成した段差調整材を配置した段板を使用することを特徴とする、請求項６に記載の高遮音階段。
【請求項８】
水平部及び垂直部を有する逆ひな壇状の化粧側板を界壁に取り付け、この化粧側板の水平部により、段板の端面と界壁との隙間が隠れるような状態としたことを特徴とする、請求項１に記載の高遮音階段。
【請求項９】
水平部及び垂直部を有する逆ひな壇状の化粧側板を界壁に取り付け、この化粧側板の垂直部により、蹴込み板の端面と界壁との隙間が隠れるような状態としたことを特徴とする、請求項２に記載の高遮音階段。
【請求項１０】
化粧側板の水平部に、弾性材料からなるクッション材が配置され、化粧側板の水平部と段板の間における隙間の形成を回避しつつ、段板から化粧側板への振動の伝達を防止できるように構成したことを特徴とする、請求項８に記載の高遮音階段。
【請求項１１】
化粧側板の垂直部に、弾性材料からなるクッション材が配置され、化粧側板の垂直部と蹴込み板との間における隙間の形成を回避しつつ、蹴込み板から化粧側板への振動の伝達を防止できるように構成したことを特徴とする、請求項９に記載の高遮音階段。
【発明の詳細な説明】
【技術分野】
【０００１】
本発明は、木造建築において施工される内階段に関し、特に、使用時における騒音の発生を可及的に抑制するとともに、階段室外への振動の伝達を効果的に遮断できる高遮音階段に関する。
【背景技術】
【０００２】
小規模な（例えば、入居世帯数が４〜１２戸程度の）二階建て賃貸用木造集合住宅には様々な形態があり、従来は、二階の入居世帯用の共同階段が建屋の外壁に設置されているタイプのものが主流であったが、近年では、二階の入居世帯用の玄関が一階に住戸別に設置され、それらの二階用の住戸別玄関が、一階の入居世帯用の住戸別玄関と交互に配列されるようなタイプのものも施工されている。
【０００３】
このタイプの集合住宅においては、二階の入居者は、一階の住戸別玄関とその奥の専用内階段を通って、二階の居室への出入りを行うことになるが、この内階段は、玄関が隣接する一階の住戸の居室と、界壁（集合住宅において各住戸の間を仕切る壁）一枚を隔てて隣接しているため、階段使用時の騒音や振動が問題となる。
【０００４】
より具体的には、木造住宅において施工される内階段は、昇降時の騒音や振動が他の部屋へ伝達されてしまうという問題があるところ、一戸建て住宅においては、通常、階段使用者は同居者等に限定されているため、階段昇降時に多少の騒音や振動が発生しても問題になることはないが、上記のような複数世帯が入居する木造集合住宅において、内階段の使用時に騒音や振動が発生すると、入居世帯間で問題が生じかねない。
【先行技術文献】
【特許文献】
【０００５】
【特許文献１】実開平０３−７１０２９号公報
【特許文献２】実開平０５−２８８２４号公報
【特許文献３】特開平１１−１５９０９５号公報
【発明の概要】
【発明が解決しようとする課題】
【０００６】
階段使用時に生じる騒音や振動を低減するための方法として、段板と、これを支持する部材との間に、弾性材料からなる防振材を配置することが知られている（特許文献１〜３参照）。この場合、階段使用者が段板を踏み込んだ際に段板に作用する衝撃を、防振材を配置しない場合と比較して、ある程度吸収することができ、一定の範囲で騒音、振動の低減効果が期待できるが、上記のような複数世帯が入居する木造集合住宅における内階段を対象とする騒音振動対策としては、十分であるとは言い難い。
【０００７】
本発明は、このような従来技術における問題を解決しようとするものであって、使用時における騒音の発生を可及的に抑制するとともに、階段室外への振動の伝達を効果的に遮断できる高遮音階段を提供することを目的とする。
【課題を解決するための手段】
【０００８】
本発明に係る高遮音階段は、階段室において対向する左右の界壁等に側板をそれぞれ取り付けて固定し、段板の左右両端部を、左右の側板によって支持させることによって構成され、側板と界壁の間であって、界壁を構成する柱（間柱を含む）と側板とが重なっている領域のみに、弾性材料からなる防振材を配置して、側板側から、界壁を構成する柱内へ打ち込んだビスによって側板を界壁に固定し、側板の水平部と段板の端部との間に弾性材料からなる防振材を配置するとともに、段板の両端面と界壁との間に隙間を形成した状態で段板を側板の水平部の上に固定したことを特徴としている。尚、ここに言う「左右の界壁等」とは、階段室を構成する壁のうち、少なくとも左右のいずれか一方が界壁であることを意味し、左右のいずれもが界壁である場合のみならず、左右のいずれか一方が界壁であり、他方が界壁以外の壁（例えば、建屋の内外を仕切る壁）である場合をも含むことを意味する。
【０００９】
本発明においては、蹴込み板の端面と界壁との間に隙間を形成した状態で、蹴込み板を側板の垂直部に取り付けることが好ましく、また、廻り段部を有する階段に適用する場合には、廻り段部を構成する廻り段板の下面の先端側縁部に沿って、その下段側に配置した蹴込み板の上端縁を進入させ、嵌合させるための溝が形成され、溝内に防振材が配置され、この防振材を介して、溝内に進入させた蹴込み板によって廻り段板が支持されるように構成することが好ましい。
【００１０】
更に、下地材の上面に、弾力性を有する吸音マット（又は、化粧板の裏側に弾力性を有する弾性マット材を配置したもの）を貼り付けてなる段板を用いることが好ましく、また、下地材の先端側に框材が取り付けられ（又は、框部が形成され）、下地材の上面に貼り付けられた吸音マット（又は、化粧板）の上面と、框材（又は、框部）の上面の高さ位置の差が１ｍｍ以内となるように構成し、吸音マット（又は、化粧板）と框材（又は、框部）との境界付近において、吸音マットの厚さ寸法を小さくするとともに、荷重が作用しても沈み込みが生じない素材によって形成した段差調整材を配置した段板を使用することが好ましい。
【発明の効果】
【００１１】
本発明に係る高遮音階段においては、段板と、これを支持する側板の水平部との間に防振材が配置されているため、階段使用時において段板が荷重を受けた際の衝撃が吸収され、騒音及び振動の発生を抑制することができ、また、側板と界壁との間に防振材が配置されるとともに、段板の左右両端面と界壁との間、及び、蹴込み板の左右両端面と界壁との間に隙間が形成されているため、段板が荷重を受けた際に発生した振動が、界壁へ伝達されることを防止し、階段室外（界壁を隔てて隣接する隣室等）への振動の伝達を効果的に遮断することができる。
【００１２】
また、廻り段部を有する階段に適用する場合において、廻り段部を構成する廻り段板の下面の先端側縁部に形成した溝内にも防振材を配置することにより、廻り段板を蹴込み板によっても支持させることができ、撓みを防止できるほか、廻り段板から蹴込み板への振動の伝達を防止することができる。
【００１３】
更に、下地材の上面に、弾力性を有する吸音マット（又は、化粧板の裏側に弾力性を有する弾性マット材を配置したもの）を貼り付けてなる段板を用いた場合には、階段使用時におけるタップ音の発生を効果的に抑制することができ、更に有効な騒音振動対策を実現することができる。
【図面の簡単な説明】
【００１４】
【図１】図１は、本発明に係る高遮音階段の施工方法の説明図であって、界壁１に側板５を固定した状態を示す図である。
【図２】図２は、図１に示すＡ−Ａ線による界壁１、側板５等の断面図である。
【図３】図３は、本発明に係る高遮音階段の施工方法の説明図であって、側板５に対する段板７及び蹴込み板８の取り付け状態を示す図である。
【図４】図４は、固定後における段板７、蹴込み板８等の断面図である。
【図５】図５は、本発明に係る高遮音階段の施工方法の説明図であって、化粧側板１１の取り付け状態を示す図である。
【図６】図６（１）は、図５に示すＢ−Ｂ線による化粧側板１１の断面図であり、図６（２）は、その下端部の拡大図であり、図６（３）は、化粧側板１１と段板７との間に挟まれてクッション材２２が変形した状態を示す化粧側板１１及びクッション材２２等の断面図である。
【図７】図７（１）〜（３）は、本発明に係る高遮音階段に使用される段板７の他の構成例を示す断面図である。
【図８】図８は、本発明に係る高遮音階段が適用される「廻り階段」の斜視図である。
【図９】図９は、図８に示す「廻り階段」の廻り段部２１における段板７と蹴込み板８の断面図である。
【発明を実施するための形態】
【００１５】
本発明に係る高遮音階段は、基本的には、階段室において対向する左右の界壁（柱、階段室側ボード、及び、隣室側ボードとからなる）に側板をそれぞれ取り付けて固定し、段板の左右両端部を、左右の側板等によって支持させることによって構成されるものである。以下、添付図面に沿って、本発明に係る高遮音階段を実施するための形態について説明する。
【００１６】
本発明に係る高遮音階段は、例えば次のような方法によって施工される。まず図１に示すように、界壁１（一階側から見て右側の界壁）の表面（階段室側ボード２ａ）に対して、水平部５ａ及び垂直部５ｂを有するひな壇状の側板５を固定する。また、階段室において図１の界壁１と対向する界壁（一階側から見て左側の界壁）（図示せず）にも、同様の要領で側板（図示せず）を固定する。
【００１７】
側板５の固定は、階段室側ボード２ａの裏側に柱３（間柱を含む）が存在している領域において、側板５の表面側から柱３内へビス４を打ち込んで行う。このとき、図２に示すように、側板５と界壁１（階段室側ボード２ａ）の間には、弾性材料からなる防振材６（防振ゴム等）を配置する。この防振材６は、ビス４を打ち込む箇所（側板５と柱３とが重なっている領域）のみに配置すればよく、柱３が存在していない領域には、配置する必要はない。
【００１８】
次に、図３に示すように、固定した側板５の垂直部５ｂに蹴込み板８をそれぞれ配置、固定するとともに、側板５の水平部５ａの上に段板７を配置、固定する。より詳細には、図１に示した側板５の垂直部５ｂと、これと対向する界壁に固定された側板の垂直部（図示せず）に、蹴込み板８の左右両端部をそれぞれ取り付けて固定するとともに、図１に示した側板５の水平部５ａと、これと対向する界壁に固定された側板の水平部（図示せず）に、段板７の左右両端部をそれぞれ載置し、固定する。
【００１９】
このとき、側板５の水平部５ａと、その上に載置される段板７の端部との間には、弾性材料からなる防振材９（防振ゴム等）を配置する。側板５の水平部５ａに対する段板７の固定は、図４に示すように、段板７の端部において上面側から側板５の内部へビス１４を打ち込んで行う。
【００２０】
尚、段板７を側板５上に固定する際、段板７の左右両端面（木口）がいずれも、界壁１（階段室側ボード２ａ）と接触しないように、段板７の両端面と界壁１との間に隙間が形成されるような状態とする。また、蹴込み板８についても、同様に両端面と界壁１との間に隙間が形成されるような状態とする。
【００２１】
また、段板７の下面には、先端側縁部に沿って、図３に示すような溝７ａが形成されており、段板７を側板５の水平部５ａ上に載置する際、その下段側に配置した蹴込み板８の上端縁８ａを、図４に示すように、溝７ａ内に進入させ、嵌合させる。
【００２２】
段板７等を固定したら、最後に、水平部１１ａ及び垂直部１１ｂを有する逆ひな壇状の化粧側板（巾木）１１を、図５に示すように界壁１（階段室側ボード２ａ）に取り付け、水平部１１ａにより、段板７の両端面と階段室側ボード２ａとの隙間、及び、段板７を固定するために段板７の端部に形成されたビス孔１５及びビス１４（図４参照）が隠れるような状態とし、垂直部１１ｂにより、蹴込み板８の両端面と階段室側ボード２ａとの隙間が隠れるような状態とする。
【００２３】
尚、化粧側板１１の水平部１１ａ及び垂直部１１ｂには、弾性材料からなるクッション材２２が配置されている。このクッション材２２は、本実施形態においては図６に示すように、断面が円弧状の円弧状部２２ａと、ベース２２ｃと、ベース２２ｃから所定方向（図６においては上方）へ向かって突出する固定用フラップ２２ｂとによって構成されており、化粧側板１１に形成された溝内に固定用フラップ２２ｂを嵌入させることによって、水平部１１ａ及び垂直部１１ｂに固定されている。
【００２４】
このクッション材２２が固定された化粧側板１１を界壁１に取り付けると、水平部１１ａに取り付けられたクッション材２２は、図６（３）に示すように、円弧状部２２ａが段板７の上面との間に挟まれて変形し、また、垂直部１１ｂに取り付けられたクッション材２２は、円弧状部２２ａが蹴込み板８との間に挟まれて変形することになり（図示せず）、化粧側板１１の水平部１１ａと段板７の間、及び、垂直部１１ｂと蹴込み板８との間に隙間が形成されることを回避することができる。
【００２５】
本実施形態の高遮音階段は、上記のような構造に係るものであるところ、使用時における騒音の発生を可及的に抑制するとともに、階段室外への振動の伝達を効果的に遮断することができる。より具体的には、段板７と、これを支持する側板５の水平部５ａとの間に防振材９が配置されているため、階段使用時において段板７が荷重を受けた際の衝撃が吸収され、騒音及び振動の発生を抑制することができ、また、側板５と界壁１との間に防振材６が配置されるとともに、段板７の左右両端面と界壁１との間、及び、蹴込み板８の左右両端面と界壁１との間に隙間が形成されているため、段板７が荷重を受けた際に発生した振動が、界壁１へ伝達されることを防止し、階段室外（界壁１を隔てて隣接する隣室等）への振動の伝達を効果的に遮断することができる。
【００２６】
また、化粧側板１１は、界壁１に対して直接取り付けられているため、仮に昇降時に生じる振動が化粧側板１１に伝達されると、界壁１を介して振動が階段室外へも伝達されてしまうことになるが、本実施形態においては上述の通り、化粧側板１１の水平部１１ａと垂直部１１ｂにクッション材２２が配置されているため、段板７が荷重を受けた際に発生した振動が、化粧側板１１を介して界壁１及び階段室外へ伝達されることを好適に防止することができる。
【００２７】
尚、本実施形態においては、図４に示すような断面形状を呈する単一の材料（木材）からなる段板７が用いられているが、図７（１）に示すように、木製の下地材１６の上面に、弾力性を有する合成樹脂製の吸音マット１７を貼り付けてなる段板７を用いることもできる。この段板７を用いた場合、階段使用時におけるタップ音の発生を効果的に抑制することができ、更に有効な騒音振動対策を実現することができる。
【００２８】
下地材１６の上面に吸音マット１７を貼り付けた段板７を使用する場合、図７（１）に示すように、先端側に木製の框材１８（下面側に、図４に示す蹴込み板８の上端縁８ａを受け入れる溝７ａを有する）を取り付け、貼り付けた吸音マット１７の上面と、框材１８の上面の高さ位置がほぼ一致する（１ｍｍ以内となるようにする）ような構成とすることが望ましい。但し、吸音マット１７として柔らかい素材のものを使用する場合、荷重が作用した際に、吸音マット１７が沈み込むことにより、框材１８との間で段差が生じることになるため、図７（１）に示すように、吸音マット１７と框材１８との境界付近においては、吸音マット１７の厚さ寸法を小さくするとともに、荷重が作用しても沈み込みが生じない素材（木材等）の段差調整材１９を配置することにより、框材１８との間で生じ得る段差を緩和することが望ましい。
【００２９】
尚、下地材１６と框材１８とを成形後に接合するのではなく、図７（２）に示すように、下地材１６に貼り付けた吸音マット１７の上面と高さ位置がほぼ一致する（１ｍｍ以内となるようにした）框部１６ａを、下地材１６の先端に一体的に形成するようにしてもよい。
【００３０】
更に、図７（３）に示すように、化粧板２３の裏側（下側）に、弾力性を有する合成樹脂製の弾性マット材２４を配置したものを、下地材１６の上面に貼り付けてなる段板７を用いることもできる。この場合も、化粧板２３と框材１８との境界付近においては、荷重が作用しても沈み込みが生じない素材（木材等）の段差調整材１９を配置することにより、框材１８との間で生じ得る段差を緩和することが望ましい。
【００３１】
また、図８に示すような廻り階段において本発明を適用する場合、廻り段部２１においては、図９に示すように、段板７（廻り段板）の下面先端側に形成される溝７ａ内にも防振材２０を配置して、溝７ａ内に進入させた蹴込み板８によって段板７を支持させるとともに、防振材２０により、段板７に作用する衝撃を吸収して騒音の発生を防止し、蹴込み板８への振動の伝達を遮断できるように構成することが望ましい。
【００３２】
廻り段部２１を構成する段板７（廻り段板）は、図１に示したような直線部分において使用される長方形の段板７（直段板）よりも面積が大きく、框部分の長さ寸法も大きくなるため、左右両端部のみによって支持すると撓み量が大きくなってしまうという問題がある。従って、このような撓みを回避するために、廻り段部２１における段板７（廻り段板）は、上述の通り、蹴込み板８によっても支持されるように構成することが好ましく、更に、段板７から蹴込み板８への振動の伝達を防止するために、段板７と蹴込み板８との間にも防振材２０を介在させることが好ましい。
【００３３】
尚、上記実施形態においては、対向する左右の壁がいずれも界壁（集合住宅において各住戸の間を仕切る壁）である階段室に対する高遮音階段の適用例について説明したが、本発明に係る高遮音階段は、対向する左右の壁のうちいずれか一方のみが界壁である場合においても適用可能である。
【００３４】
また、上記実施形態においては、化粧側板１１の水平部１１ａ及び垂直部１１ｂに配置されるクッション材２２として、円弧状部２２ａと、ベース２２ｃと、固定用フラップ２２ｂとによって構成されたものが使用されているが、化粧側板１１の水平部１１ａと段板７との間、及び／又は、垂直部１１ｂと蹴込み板８との間に挟まれて変形し、化粧側板１１の水平部１１ａと段板７の間、及び／又は、垂直部１１ｂと蹴込み板８との間に隙間が形成されることを回避でき、かつ、振動の伝達を抑制できるものであれば、どのような形状、構造、材質のものでも適用することができる。例えば、円弧状部２２ａの代わりに、断面が円形或いは楕円形を呈する軟質樹脂製のチューブ状部を有するものを用いても良いし、フェルト製の帯状材等を用いることもできる。
【符号の説明】
【００３５】
１：界壁、
２ａ：階段室側ボード、
２ｂ：隣室側ボード、
３：柱、
４：ビス、
５：側板、
５ａ：水平部、
５ｂ：垂直部、
６：防振材、
７：段板、
７ａ：溝、
８：蹴込み板、
８ａ：上端縁、
９：防振材、
１１：化粧側板、
１１ａ：水平部、
１１ｂ：垂直部、
１４：ビス、
１５：ビス孔、
１６：下地材、
１６ａ：框部、
１７：吸音マット、
１８：框材、
１９：段差調整材、
２０：防振材、
２１：廻り段部、
２２：クッション材、
２２ａ：円弧状部、
２２ｂ：固定用フラップ、
２２ｃ：ベース、
２３：化粧板、
２４：弾性マット材
【図１】
0006416589.tif 000002
【図２】
0006416589.tif 000003
【図３】
0006416589.tif 000004
【図４】
0006416589.tif 000005
【図５】
0006416589.tif 000006
【図６】
0006416589.tif 000007
【図７】
0006416589.tif 000008
【図８】
0006416589.tif 000009
【図９】
0006416589.tif 000010